(57)【要約】【課題】浮力を確保できかつ遊泳移動な可能な浮力補助胴衣を提供する。【解決手段】本考案の浮力補助胴衣１は、外部材（２ａ，３ａ）と外部材（２ａ，３ａ）内に収納された気室部材（２ｂ，３ｂ）とを備え、前記気室部材（２ｂ，３ｂ）内に供給された気体により膨張展開した際の気室部材（２ｂ，３ｂ）の形状が外部材（２ａ，３ａ）によって規定される。【選択図】図１
0003210785.tif 000002
【実用新案登録請求の範囲】
【請求項１】
外部材と当該外部材内に収納された気室部材とを備えた浮力補助胴衣であって、
前記気室部材内に供給された気体により膨張展開した際の当該気室部材の形状が前記外部材によって規定されることを特徴とする浮力補助胴衣。
【請求項２】
前記外部材と前記気室部材とは分離可能に設けられていることを特徴とする請求項１に記載の浮力補助胴衣。
【請求項３】
当該浮力補助胴衣は、着用者の襟および肩を覆うための襟肩部と着用者の胸を覆うための胸部とから成り、
前記外部材は、襟肩部用外部材と胸部用外部材とから成り、
前記襟肩部用外部材と前記胸部用外部材とは、それぞれスライド式ファスナーによって開閉可能な袋状に成形されていることを特徴とする請求項２に記載の浮力補助胴衣。
【請求項４】
前記気室部材は、襟肩部用気室部材と胸部用気室部材とから成り
前記襟肩部用外部材内に前記襟肩部用気室部材が収納され、前記胸部用外部材内に前記胸部用気室部材が収納され、
前記襟肩部用気室部材と前記胸部用気室部材とは、それぞれ個別に膨張展開するよう独立して設けられていることを特徴とする請求項３に記載の浮力補助胴衣。
【請求項５】
前記襟肩部と前記胸部とを取り外し可能に連結する連結部材を１つ以上備えていることを特徴とする請求項３または４に記載の浮力補助胴衣。
【請求項６】
前記襟肩部用外部材は逆Ｕ字形を有することを特徴とする請求項３から５のいずれか１項に記載の浮力補助胴衣。
【請求項７】
前記襟肩部用気室部材の膨張展開時の前記襟肩部の浮力は、１０Ｎ以上３０Ｎ以下であることを特徴とする請求項３から６のいずれか１項に記載の浮力補助胴衣。
【請求項８】
前記襟肩部用気室部材内に呼気を供給する送気管を備えたことを特徴とする請求項３から７のいずれか１項に記載の浮力補助胴衣。
【請求項９】
前記胸部用外部材は枕形を有することを特徴とする請求項３から８のいずれか１項に記載の浮力補助胴衣。
【請求項１０】
展開膨張前の前記胸部用気室部材は３つ折りに畳まれて前記胸部用外部材内に収納されることを特徴とする請求項３から９のいずれか１項に記載の浮力補助胴衣。
【請求項１１】
前記胸部用気室部材の膨張展開時の前記胸部部の浮力は、６０Ｎ以上１００Ｎ以下であることを特徴とする請求項３から１０のいずれか１項に記載の浮力補助胴衣。
【請求項１２】
前記胸部用気室部材内に呼気を供給する送気管を備えた、および／またはは、前記胸部用気室部材内に気体を供給するボンベを取り外し可能に備えた、ことを特徴とする請求項３から１１のいずれか１項に記載の浮力補助胴衣。
【考案の詳細な説明】
【技術分野】
【０００１】
本考案は、遊泳する際に溺れないように浮力を補助的に追加する装具に関したものである。より詳しくは、一般に使用される救命胴衣とは異なり、浮力を与えても遊泳を可能とするため上半身の可動性を阻害しない浮力補助胴衣に関するものである。
【背景技術】
【０００２】
従来、人が海や河川などに落水や着水や入水した場合に、自動または手動で気体を供給して気室を膨張展開させて浮力を確保する膨張式救命胴衣がある（例えば、特許文献１）。
【先行技術文献】
【特許文献】
【０００３】
【特許文献１】特開２００５−３４３３９２号公報
【考案の概要】
【考案が解決しようとする課題】
【０００４】
一般に救命胴衣は、救命、水上に浮いて救助を待つことが、最大の目的であり、十分な浮力を得るために気室がカバー部材から飛び出し気室の容積が大きくなように設計されている。そのため、気室を膨張展開した後は救命胴衣の着用者の上半身の動きが阻害されてしまい、救命胴衣の着用者が遊泳移動する場合には非常に困難であった。
【０００５】
そこで、本考案は、上記課題に鑑みなされ、浮力を確保できかつ遊泳移動な可能な浮力補助胴衣を提供することを目的とする。
【課題を解決するための手段】
【０００６】
本考案の浮力補助胴衣は上記問題を解決するために、下記の構成を有する。
（１）外部材と当該外部材内に収納された気室部材とを備えた浮力補助胴衣であって、前記気室部材内部に供給された気体により膨張展開した際の当該気室部材の形状が前記外部材によって規定されることを特徴とする浮力補助胴衣。
（２）前記外部材と前記気室部材とは分離可能に設けられていることを特徴とする（１）に記載の浮力補助胴衣。
（３）当該浮力補助胴衣は、着用者の襟および肩を覆うための襟肩部と着用者の胸を覆うための胸部とから成り、前記外部材は、襟肩部用外部材と胸部用外部材とから成り、前記襟肩部用外部材と前記胸部用外部材とは、それぞれスライド式ファスナーによって開閉可能な袋状に成形されていることを特徴とする（２）に記載の浮力補助胴衣。
（４）前記気室部材は、襟肩部用気室部材と胸部用気室部材とから成り前記襟肩部用外部材内に前記襟肩部用気室部材が収納され、前記胸部用外部材内に前記胸部用気室部材が収納され、前記襟肩部用気室部材と前記胸部用気室部材とは、それぞれ個別に膨張展開するよう独立して設けられていることを特徴とする（３）に記載の浮力補助胴衣。
（５）前記襟肩部用外部材と前記胸部用外部材とを切り離し可能に連結する連結部材を１つ以上備えていることを特徴とする（３）または（４）に記載の浮力補助胴衣。
（６）前記襟肩部用外部材は逆Ｕ字形を有することを特徴とする（３）から（５）のいずれか１つに記載の浮力補助胴衣。
（７）前記襟肩部用気室部材の膨張展開時の前記襟肩部の浮力は、１０Ｎ以上３０Ｎ以下であることを特徴とする（３）から（６）のいずれか１つに記載の浮力補助胴衣。
（８）前記襟肩部用気室部材内に呼気を供給する送気管を備えたことを特徴とする（３）から（７）のいずれか１つに記載の浮力補助胴衣。
（９）前記胸部用外部材は枕形を有することを特徴とする（３）から（８）のいずれか１つに記載の浮力補助胴衣。
（１０）展開膨張前の前記胸部用気室部材は３つ折りに畳まれて前記胸部の外部材内に収納されることを特徴とする（３）から（９）のいずれか１つに記載の浮力補助胴衣。
（１１）前記胸部用気室部材の膨張展開時の前記胸部部の浮力は、６０Ｎ以上１００Ｎ以下であることを特徴とする（３）から（１０）のいずれか１つに記載の浮力補助胴衣。
（１２）前記胸部用気室部材内に呼気を供給する送気管を備えた、および／又は、前記胸部用気室部材内に気体を供給するボンベを取り外し可能に備えた、ことを特徴とする（３）から（１１）のいずれか１つに記載の浮力補助胴衣。
【考案の効果】
【０００７】
本考案の浮力補助胴衣は、気室の膨張展開時の形状が外部材によって規定される。よって、気室部材が外部材からはみ出ない。そのため、本考案の浮力補助胴衣は、着用者の動作を邪魔することが無く、着用者の浮力を確保できかつ着用者の遊泳移動を可能とるすことができる。本考案の浮力補助胴衣は、着用者が、例えば、島や半島先端などで港や桟橋など船着き場がなく陸上から船舶での接近が困難な場所に、身体に種々の装備を着装したまま泳いで上陸する場合であっても、沈み溺れないために最低限必要な浮力を与えることができる。
【図面の簡単な説明】
【０００８】
【図１】本実施形態の浮力補助胴衣の正面図であり、（ａ）は、浮力補助胴衣の表面を示し、（ｂ）は、浮力補助胴衣１の裏面を示している。
【図２】襟肩部と胸部とが離された状態の上記浮力補助胴衣の表面を示す正面図である。
【図３】襟肩部と胸部とが離された状態の上記浮力補助胴衣の裏面を示す正面図である。
【図４】上記浮力胴衣の襟肩部用気室部材の表面の正面図である。
【図５】上記胸部用気室部材の正面図であり、（ａ）は、胸部用気室部材の表面を示し、（ｂ）は、胸部用気室部材の裏面を示している。
【考案を実施するための形態】
【０００９】
以下に、本考案の実施形態の浮力補助胴衣の一実施形態について図１〜図５を参照して詳細に説明する。
【００１０】
図１（ａ）および（ｂ）は、本実施形態の浮力補助胴衣１の正面図である。浮力補助胴衣１は、着用者が海や河川などに落水や着水や入水した場合に、後述する気室部材内に気体を供給して膨張展開させて浮力を確保して、遊泳するための器具である。図１（ａ）は、浮力補助胴衣１の表面を示しており、これは着用者の外側にくる面である。また、図１（ｂ）は、浮力補助胴衣１の裏面を示しており、これは着用者の内側にくる面である。なお、膨張展開とは内部に気体を供給して膨張させて押し広げた状態を指す。
【００１１】
図１に示すように、浮力補助胴衣１は、着用者の襟および肩を覆うための襟肩部２と着用者の胸を覆うための胸部３とから構成される。
【００１２】
襟肩部２と胸部３とは表面に備えられたバックル（連結部材）４によって切り離し可能に連結されている。本実施形態では、バックル４が２つ設けられている図を用いて説明するが、バックル４は１以上設けられていればよい。バックル４を設けることにより、着用者が浮力補助胴衣１を装着しやすくなる。図１は、２つのバックルによって、襟肩部２と胸部３とが連結した状態を示している。図２および３は、２つのバックル４が外されて。襟肩部２と胸部３とが離された状態の浮力補助胴衣１の表面および裏面を示す正面図である。なお、襟肩部２と胸部３とが一体型になっていてもよい。バックル４は公知のものを利用できる。
【００１３】
また、襟肩部２と胸部３とは裏面に装着された固定用ベルト５によっても接続されている。固定用ベルト５は、浮力補助胴衣１を装着者に固定するための部材である。着用者のサイズに合わせて固定用ベルト５が伸縮するように構成されている。固定ベルト５で固定することにより、着用者が水中に落下した場合や遊泳する場合など大きな動きがあっても浮力補助胴衣１が着用者から脱げてしまうことを防止することができる。固定用ベルト５は、強度があり、軽量で、耐候性を有する合成樹脂素材等からなる帯状物によって構成されており、材料の種類や製造方法は限定されないが撥水加工されているものが好ましい。
【００１４】
襟肩部２は、襟肩部用外部材２ａと襟肩部用外部材２ａ内に収納された襟肩部用気室部材２ｂとを備える。また、胸部３は、胸部用外部材３ａと胸部用外部材３ａ内に収納された胸部用気室部材３ｂとを備える。襟肩部用外部材２ａと胸部用外部材３ａとが浮力補助胴衣１の外袋である外部材を成す。また、襟肩部用気室部材２ｂと胸部用気室部材３ｂとがの浮力補助胴衣１の内袋である気室部材を成す。襟肩部用気室部材２ｂおよび胸部用気室部材３ｂは、後述のように内部に気体が供給されることで膨張展開し、浮力を発生させる。
【００１５】
浮力補助胴衣１では、襟肩部用外部材２ａと襟肩部用気室部材２ｂとは分離可能に設けられている。同様に、胸部用外部材３ａと胸部用気室部材３ｂとは分離可能に設けられている。このように外部材（襟肩部用外部材２ａおよび胸部用外部材３ａ）と気室部材（襟肩部用気室部材２ｂおよび胸部用気室部材３ｂ）とが分離可能に設けられていることで、外部材および気室部材のうちの一方が破損したり汚れたり不具合があったりした場合でも、その一方だけを交換することができる。
【００１６】
襟肩部用外部材２ａは逆Ｕ字形を有しており、着用者の襟肩に沿うような形状となっている。また襟肩部用外部材２ａは、内部に襟肩部用気室部材２ｂ全体を収容できるように袋状に形成されている。襟肩部用外部材２ａが開閉自在に形成されていると、襟肩部用気室部材２ｂを取り出しやすく、例えば上記した交換時にも容易に対応できる。この開閉は、例えばスライド式ファスナーによって行える様に、襟肩部用外部材２ａにスライド式ファスナーが設けられていてもよい。
【００１７】
胸部用外部材３ａは枕形を有しており、着用者の胸を覆う形状となっている。また、内部に胸部用気室部材３ｂを収容できるように袋状に形成されている。開閉可能に形成されていると、胸部用気室部材３ｂを取り出しやすく、例えば上記した交換時にも容易に対応できる。この開閉は、例えばスライド式ファスナーによって行うように、胸部用外部材３ａにスライド式ファスナーが設けられていてもよい。
【００１８】
襟肩部用外部材２ａおよび胸部用外部材３ａは、強度があり、軽量で、耐候性を有する合成樹脂素材等からなる布状物によって構成されるのが好ましいが、材料の種類や製造方法は限定されない。また、外表面（水に触れる面）が撥水加工されているものが好ましい。襟肩部用外部材２ａおよび胸部用外部材３ａの好適な材料としては、例えば、ポリエステル繊維製帆布、ナイロン繊維製帆布が挙げられる。しかし、これらに限定されない。
【００１９】
浮力補助胴衣１の着用時は、着用者の首に襟肩部２の逆Ｕ字に湾曲した部分を引っ掛けて、胸部３が胸にくるように着用し、固定ベルト５で胴周りを固定する。浮力補助胴衣１の着用時は、襟肩部用気室部材２ｂおよび胸部用気室部材３ｂは、通常、膨張展開していない。
【００２０】
図４は、襟肩部用気室部材２ｂの表面の正面図である。図５（ａ）および（ｂ）は、胸部用気室部材３ｂの表面および裏面の正面図である。
【００２１】
襟肩部用気室部材２ｂおよび胸部用気室部材３ｂは袋状に形成されており、内部に気体が供給されると膨張展開する。襟肩部用気室部材２ｂおよび胸部用気室部材３ｂは、強度があり、軽量で、耐候性を有する合成樹脂素材等からなる布状物によって構成されるのが好ましいが、材料の種類や製造方法は限定されない。襟肩部用気室部材２ｂおよび胸部用気室部材３ｂの材料としては、少なくとも片面に熱融着性樹脂が一様にコーティングされたポリエステル、ナイロン、ビニロン等の耐突き刺し強度が高い、合成繊維製織物が好ましい。しかし、これらに限定されない。
【００２２】
襟肩部２では、内部に供給された気体により膨張展開した際の襟肩部用気室部材２ｂの形状は、襟肩部用外部材２ａによって規定される。言い換えれば、襟肩部用気室部材２ｂは、膨張展開時、袋襟肩部用外部材２ａの内側に押さえつけられている。または、襟肩部用気室部材２ｂは、膨張展開時も袋状の襟肩部用外部材２ａ内に収納されている、あるいは取り囲まれている、と言うこともできる。また、胸部３では、内部に供給された気体により膨張展開した際の胸部用気室部材３ｂの形状は、胸部用外部材３ａによって規定される。言い換えれば、胸部用気室部材３ｂは、膨張展開時、胸肩部用外部材３ａの内側に押さえつけられている。または、胸部用気室部材３ｂは、膨張展開時も袋状の胸部用外部材３ａ内に収納されている、あるいは取り囲まれている、と言うこともできる。
【００２３】
このように浮力補助胴衣１では、気室部材（襟肩部用気室部材２ｂおよび胸部用気室部材３ｂ）の膨張展開時の形状が、外部材（襟肩部用外部材２ａおよび胸部用外部材３ａ）に規定されるため、気室部材が外部材からはみ出ない。よって、浮力補助胴衣１は、着用者の動作を邪魔することが無く、着用者の浮力を確保できかつ着用者の遊泳移動を可能とるすことができる。浮力補助胴衣１は、着用者が、例えば、島や半島先端などで港や桟橋など船着き場がなく陸上から船舶での接近が困難な場所に、身体に種々の装備を着装したまま泳いで上陸する場合に、沈み溺れないために最低限必要な浮力を与えることができる。
【００２４】
また、浮力補助胴衣１は、気室部材が非膨張時も膨張展開時も外部材内に収納されているため、浮力補助胴衣１は、常に気室部材を外部要因による破損から防ぐことができる。よって、着用者の安全が確保できる。また、襟肩部用気室部材２ｂと胸部用気室部材３ｂとは、それぞれ個別に膨張展開するよう独立して設けられている。そのため、襟肩部用気室部材２ｂおよび胸部用気室部材３ｂのうちの一方から気体が漏れた場合でも、他方で浮力を確保できるため、着用者の安全が確保できる。
【００２５】
ここで、襟肩部用気室部材２ｂの膨張展開時の襟肩部２の浮力は、１０Ｎ以上３０Ｎ以下が好ましい。また、胸部用気室部材３ｂの膨張展開時の胸部部３の浮力は、６０Ｎ以上１００Ｎ以下であるのが好ましい。これらの範囲であると、着用者が重量物を携えていても溺れることのない適切な浮力を提供できる。そのため、襟肩部用気室部材２ｂの容積および胸部用気室部材３ｂの容積は、襟肩部用気室部材２ｂの容積および胸部用気室部材３ｂの浮力が所望の範囲になるように設計される。
【００２６】
図４に示すように、襟肩部用気室部材２ｂには送気管６が装着されている。送気管６は、襟肩部用気室部材２ｂ内に呼気を供給する管である。着用者は、送気管６から息を吹き込み襟肩部用気室部材２ｂを膨張展開させることができる。
【００２７】
また、図５に示すように、胸部用気室部材３ｂには送気管７および手動膨張装置８が装着されている。送気管７は、胸部用気室部材２３ｂ内に呼気を供給する管である。着用者は、送気管７から息を吹き込み胸部用気室部材３ｂを膨張展開させることができる。膨張装置８には図示しないガスボンベが取り付けられ、膨張装置８はこのガスボンベを開栓してガス（ＣＯ２）を胸部用気室部材３ｂ内に供給させる装置である。膨張装置８として、例えば、以下のような構成を用いることができる。紐を引くとスイッチレバーが回り（トリガーがかかり）ガスボンベ取り付け部の底から針が飛び出し、その結果、ガスボンベのシール部分に穴が開き（開栓）、炭酸ガスが放出される、構成である。なお、本実施形態では膨張装置８を手動とするが自動であってもよい。自動膨張装置の場合、落水や着水や入水した際に、自動で気室部材内にガス供給が行われる。
【００２８】
このように、胸部用気室部材３ｂは、送気管７からの呼気および／またはガスボンベからのガスにより膨張展開させることができる。送気管７からの呼気の供給は、ガスボンベからのガスの供給では胸部用気室部材３ｂの膨張が足りない場合の補助的使用であってもよい。また、襟肩部用気室部材２ｂがガスボンベからの気体供給ができるようになっていてもよい。
【００２９】
なお、浮力補助胴衣１では、展開膨張前の胸部用気室部材３ｂは３つ折りに畳まれて胸部用外部材３ａ内に収納されるものとする。折り畳んで収納できるため、胸部３が嵩張らずにコンパクトにすることができる。なお、胸部用気室部材３ｂは、折り畳まれていなくてもよいし、２つに折り畳まれていてもよいし、４つ以上に折り畳まれていてもよい。また、襟肩部用気室部材２ｂが折り畳まれて襟肩用外部材２ａに収納されていてもよい。折り畳まれてコンパクトになっていることで、装着時のごわつきを減らすことができ、また持ち運びや備蓄にも便利である。
【００３０】
以上で説明した実施形態は、すべての点で例示であって制限的なものではない。また、実施形態の開示内容を適宜組み合わせたものも本考案に含まれる。本考案の技術的範囲は、実用新案登録請求の範囲によって画定され、また実用新案登録請求の範囲の記載と均等の意味および範囲内でのすべての変更を含むものである。
【産業上の利用可能性】
【００３１】
本考案の浮力補助胴衣は、着用者の水中での浮力を確保できかつ遊泳移動可能とするため、着用者の安全を確保でき、民事軍事いずれにも利用可能である。
【符号の説明】
【００３２】
１    浮力補助胴衣
２    襟肩部
２ａ  襟肩部用外部材
２ｂ  襟肩部用気室部材
３    胸部
３ａ  胸部用外部材
３ｂ  胸部用気室部材
４    バックル
５    固定ベルト
６    送気管
７    送気管
８    手動膨張装置
【図１】
0003210785.tif 000003
【図２】
0003210785.tif 000004
【図３】
0003210785.tif 000005
【図４】
0003210785.tif 000006
【図５】
0003210785.tif 000007
【手続補正書】
【提出日】平成29年3月31日(2017.3.31)
【手続補正１】
【補正対象書類名】実用新案登録請求の範囲
【補正対象項目名】全文
【補正方法】変更
【補正の内容】
【実用新案登録請求の範囲】
【請求項１】
外部材と当該外部材内に収納された気室部材とを備えた浮力補助胴衣であって、
前記気室部材内に供給された気体により膨張展開した際の当該気室部材の形状が前記外部材によって規定されることを特徴とする浮力補助胴衣。
【請求項２】
前記外部材と前記気室部材とは分離可能に設けられていることを特徴とする請求項１に記載の浮力補助胴衣。
【請求項３】
当該浮力補助胴衣は、着用者の襟および肩を覆うための襟肩部と着用者の胸を覆うための胸部とから成り、
前記外部材は、襟肩部用外部材と胸部用外部材とから成り、
前記襟肩部用外部材と前記胸部用外部材とは、それぞれスライド式ファスナーによって開閉可能な袋状に成形されていることを特徴とする請求項２に記載の浮力補助胴衣。
【請求項４】
前記襟肩部と前記胸部とを取り外し可能に連結する連結部材を１つ以上備えていることを特徴とする請求項３に記載の浮力補助胴衣。
【請求項５】
前記襟肩部用外部材は逆Ｕ字形を有することを特徴とする請求項３または４に記載の浮力補助胴衣。
【請求項６】
前記胸部用外部材は枕形を有することを特徴とする請求項３から５のいずれか１項に記載の浮力補助胴衣。
【請求項７】
前記気室部材は、襟肩部用気室部材と胸部用気室部材とから成り
前記襟肩部用外部材内に前記襟肩部用気室部材が収納され、前記胸部用外部材内に前記胸部用気室部材が収納され、
前記襟肩部用気室部材と前記胸部用気室部材とは、それぞれ個別に膨張展開するよう独立して設けられていることを特徴とする請求項３から６のいずれか１項に記載の浮力補助胴衣。
【請求項８】
前記襟肩部用気室部材の膨張展開時の前記襟肩部の浮力は、１０Ｎ以上３０Ｎ以下であることを特徴とする請求項７に記載の浮力補助胴衣。
【請求項９】
前記襟肩部用気室部材内に呼気を供給する送気管を備えたことを特徴とする請求項７または８に記載の浮力補助胴衣。
【請求項１０】
展開膨張前の前記胸部用気室部材は３つ折りに畳まれて前記胸部用外部材内に収納されることを特徴とする請求項７から９のいずれか１項に記載の浮力補助胴衣。
【請求項１１】
前記胸部用気室部材の膨張展開時の前記胸部の浮力は、６０Ｎ以上１００Ｎ以下であることを特徴とする請求項７から１０のいずれか１項に記載の浮力補助胴衣。
【請求項１２】
前記胸部用気室部材内に呼気を供給する送気管を備えた、および／または、前記胸部用気室部材内に気体を供給するボンベを取り外し可能に備えた、ことを特徴とする請求項７から１１のいずれか１項に記載の浮力補助胴衣。
【手続補正２】
【補正対象書類名】明細書
【補正対象項目名】０００５
【補正方法】変更
【補正の内容】
【０００５】
本考案の浮力補助胴衣は上記問題を解決するために、下記の構成を有する。
（１）外部材と当該外部材内に収納された気室部材とを備えた浮力補助胴衣であって、前記気室部材内部に供給された気体により膨張展開した際の当該気室部材の形状が前記外部材によって規定されることを特徴とする浮力補助胴衣。
（２）前記外部材と前記気室部材とは分離可能に設けられていることを特徴とする（１）に記載の浮力補助胴衣。
（３）当該浮力補助胴衣は、着用者の襟および肩を覆うための襟肩部と着用者の胸を覆うための胸部とから成り、前記外部材は、襟肩部用外部材と胸部用外部材とから成り、前記襟肩部用外部材と前記胸部用外部材とは、それぞれスライド式ファスナーによって開閉可能な袋状に成形されていることを特徴とする（２）に記載の浮力補助胴衣。
（４）前記襟肩部用外部材と前記胸部用外部材とを切り離し可能に連結する連結部材を１つ以上備えていることを特徴とする（３）に記載の浮力補助胴衣。
（５）前記襟肩部用外部材は逆Ｕ字形を有することを特徴とする（３）または（４）に記載の浮力補助胴衣。
（６）前記胸部用外部材は枕形を有することを特徴とする（３）から（５）のいずれか１つに記載の浮力補助胴衣。
（７）前記気室部材は、襟肩部用気室部材と胸部用気室部材とから成り前記襟肩部用外部材内に前記襟肩部用気室部材が収納され、前記胸部用外部材内に前記胸部用気室部材が収納され、前記襟肩部用気室部材と前記胸部用気室部材とは、それぞれ個別に膨張展開するよう独立して設けられていることを特徴とする（３）から（６）のいずれか１つに記載の浮力補助胴衣。
（８）前記襟肩部用気室部材の膨張展開時の前記襟肩部の浮力は、１０Ｎ以上３０Ｎ以下であることを特徴とする（７）に記載の浮力補助胴衣。
（９）前記襟肩部用気室部材内に呼気を供給する送気管を備えたことを特徴とする（７）または（８）に記載の浮力補助胴衣。
（１０）展開膨張前の前記胸部用気室部材は３つ折りに畳まれて前記胸部の外部材内に収納されることを特徴とする（７）から（９）のいずれか１つに記載の浮力補助胴衣。
（１１）前記胸部用気室部材の膨張展開時の前記胸部の浮力は、６０Ｎ以上１００Ｎ以下であることを特徴とする（７）から（１０）のいずれか１つに記載の浮力補助胴衣。
（１２）前記胸部用気室部材内に呼気を供給する送気管を備えた、および／または、前記胸部用気室部材内に気体を供給するボンベを取り外し可能に備えた、ことを特徴とする（７）から（１１）のいずれか１つに記載の浮力補助胴衣。